(57)【要約】【課題】  壁面の形状及びサイディングボードの形状を手作業で作成するために、非常に手間がかかり、長時間の作業が必要となるという問題があった。【解決手段】  カメラ１はサイディングボードを貼り付ける家屋の壁面の画像を撮像し、撮像信号をパーソナルコンピュータ２に入力すると、パーソナルコンピュータ２に内蔵された画像変換部２ａで表示信号に変換され、パーソナルコンピュータ２に接続された表示装置３に、図２に示すように、家屋の壁面の画像Ａが表示されるが、家屋の壁面の映像Ａには、１階に出入り口Ｂ、窓Ｃが表示され、又、２階に窓Ｄと小窓Ｅ、Ｆ、バルコニーＧ、Ｈが表示されている。【選択図】        図１
2011184973.tif 000002
【特許請求の範囲】
【請求項１】
家屋の側壁を撮像するカメラと、該家屋の側壁の一部を実測したデータ信号とサイディングボードの形状データを入力する入力装置と、前記カメラからの映像信号と入力装置からのデータ信号を画像信号に変換する画像変換部を内蔵するパーソナルコンピュータと、該パーソナルコンピュータの前記画像変換部で変換された画像信号を表示する表示装置と、前記側壁の一部を実測したデータ信号を前記表示装置に表示された画像に書き込む書き込み装置と、前記パーソナルコンピュータは前記書き込まれた家屋の側壁の一部の実測データ及び前記サイディングボードの形状データに基づいて、前記家屋の側壁の画像信号に前記家屋の側壁に貼り付けるサイディングボードの形状を作成するサイディングボード形状作成部と、該サイディングボード形状作成部で作成されたサイディングボードの形状データを前記表示部に表示する画像信号に変換する形状データ画像変換部とを有することを特徴とするサイディングボード貼り付け形状作成装置。
【発明の詳細な説明】
【技術分野】
【０００１】
本発明は、家屋の壁材として、表面に煉瓦状の柄や岩石状の柄が形成された窯業係セメントからなるサイディングボードを家屋の側面にあわせて貼り付ける形状を作成するサイディングボード貼り付け形状作成装置に関するものである。
【背景技術】
【０００２】
従来、窯業系セメントによって板状に加工されたサイディングボードは、図９に示すように、煉瓦の模様Ｂが表面に形成されたサイディングボードＡや岩石模様等のサイディングボードを家屋の壁材として使用するために、図１０に示すように、方形の部材Ｃや傾斜部材Ｄを切断箇所Ｅ，Ｆ，Ｇに鋸等で切断して、家屋の表面に接着したり、打ち付けたりして使用している。
【０００３】
しかしながら、このようなサイディングボードＡを実際に家屋の壁材として加工する場合は、家屋の壁面を実際に測定し、測定したデータをパーソナルコンピュータに入力して、壁面の形状を作成し、作成され壁面の映像に貼り付けるサイディングボードの形状を書き込んで、サイディングボードの形状を決定していたが、壁面の形状及びサイディングボードの形状を手作業で作成するために、非常に手間がかかり、長時間の作業が必要となるという問題があった。
【先行技術文献】
【特許文献】
【０００４】
【特許文献１】特願２００９−０８５４４４号公報
【発明の概要】
【発明が解決しようとする課題】
【０００５】
解決しようとする問題点は、壁面の形状及びサイディングボードの形状を手作業で作成するために、非常に手間がかかり、長時間の作業が必要となるという問題があった。
【課題を解決するための手段】
【０００６】
本発明は、家屋の側壁を撮像するカメラと、該家屋の側壁の一部を実測したデータ信号とサイディングボードの形状データを入力する入力装置と、前記カメラからの映像信号と入力装置からのデータ信号を画像信号に変換する画像変換部を内蔵するパーソナルコンピュータと、該パーソナルコンピュータの前記画像変換部で変換された画像信号を表示する表示装置と、前記側壁の一部を実測したデータ信号を前記表示装置に表示された画像に書き込む書き込み装置と、前記パーソナルコンピュータは前記書き込まれた家屋の側壁の一部の実測データ及び前記サイディングボードの形状データに基づいて、前記家屋の側壁の画像信号に前記家屋の側壁に貼り付けるサイディングボードの形状を作成するサイディングボード形状作成部と、該サイディングボード形状作成部で作成されたサイディングボードの形状データを前記表示部に表示する画像信号に変換する形状データ画像変換部とを有するものである。
【発明の効果】
【０００７】
本発明では、サイディングボードを貼り付ける家屋の壁面の画像をカメラで撮像して、撮像信号をパーソナルコンピュータに入力することにより、パーソナルコンピュータの表示装置に家屋の壁面が表示され、又、パーソナルコンピュータに家屋の一部を実側した計測データとサイディングボードの形状のデータを入力することにより、パーソナルコンピュータのサイディングボード形状作成部で家屋の壁面に貼り付けるサイディングボードの形状を簡単に作成することができ、作業能率が非常に良いという利点がある。
【図面の簡単な説明】
【０００８】
【図１】図１は本発明の実施例のサイディングボード貼り付け形状作成装置のブロック図である。
【図２】図２はサイディングボードを貼り付ける家屋の壁面図である。
【図３】図３は図２のサイディングボードを貼り付ける家屋の壁面に基準線を書き入れた図である。
【図４】図４は図２の家屋の壁面に貼り付けるサイディングボードの形状を作成した図である。
【図５】図５は他のサイディングボードを貼り付ける家屋の壁面に基準線を書き入れた図である。
【図６】図６は図５の家屋の壁面に貼り付けるサイディングボードの形状を作成した図である。
【図７】図７はさらに他のサイディングボードを貼り付ける家屋の壁面に基準線を書き入れた図である。
【図８】図８は図７の家屋の壁面に貼り付けるサイディングボードの形状を作成した図である。
【図９】図９はサイディングボードの平面図である。
【図１０】図１０は加工されたサイディングボード平面図である。
【発明を実施するための形態】
【０００９】
本発明では、カメラで家屋の壁面を撮像し、カメラで撮像した映像信号をパーソナルコンピュータに取り込み、パーソナルコンピュータに取り込んだ画像信号を表示装置で表示し、家屋の一部の計測データとサイディングボードの形状を書き込み装置で表示装置に書き込み、パーソナルコンピュータは前記書き込まれた家屋の側面の一部の計測データ及び前記サイディングボードの形状データに基づいて、家屋の側面の画像信号に前記家屋の側面に貼り付けるサイディングボードの形状を作成するものである。
【実施例】
【００１０】
図１は本発明の実施例の本発明の実施例のサイディングボード貼り付け形状作成装置のブロック図で、カメラ１はサイディングボードを貼り付ける家屋の壁面の画像を撮像し、撮像信号をパーソナルコンピュータ２に入力すると、パーソナルコンピュータ２に内蔵された画像変換部２ａで表示信号に変換され、パーソナルコンピュータ２に接続された表示装置３に、図２に示すように、家屋の壁面の画像Ａが表示されるが、家屋の壁面の映像Ａには、１階に出入り口Ｂ、窓Ｃが表示され、又、２階に窓Ｄと小窓Ｅ、Ｆ、バルコニーＧ、Ｈがが表示されている。
【００１１】
又、パーソナルコンピュータ２には、入力装置４及び書き込み装置５が接続され、入力装置４でサイディングボードの長さａ及び幅ｂのデータ及び例えば家屋の壁面の右端から１階の出入り口Ｂの左端Ａ１までの距離を予め実測したデータｃを入力装置４でパーソナルコンピュータ２に入力し、書き込み装置５で予め実測したデータｃを表示装置３に表示された家屋の壁面の画像Ａに書き込むと、パーソナルコンピュータ２に内蔵されたサイディングボード形状作成部２ｂは、図３に示すように、表示装置３に家屋の壁面の画像Ａの右端Ａ１からサイディングボードＳの長さａの位置に縦線ｄを表示し、さらに縦線ｄからサイディングボードの長さａの位置に縦線eを表示し、又、家屋の壁面の画像Ａの下端Ａ２からサイディングボードＳの幅ｂの横線ｆを順次ｆ１、ｆ２、ｆ３・・・ｆ１７まで表示する。
【００１２】
このように表示することによって、図４に示すように、サイディングボードＳを１枚使用するサイディングボードＳ１が家屋の壁面の画像Ａに表示され、出入り口Ｂの下のサイディングボードＳ２は出入り口Ｂの部分を切り欠かれ、出入り口Ｂの右側は家屋の壁面の画像Ａの右端Ａ１から出入り口Ｂまでの幅のサイディングボードＳ３が表示され、出入り口Ｂの左側は出入り口Ｂと縦線ｅの幅のサイディングボードＳ４が表示され、１階の窓Ｃの下側のサイディングボードＳ１の上は１枚のサイディングボードＳ１の１階の窓Ｃが切り欠かれたサイディングボードＳ５が表示され、１階の窓Ｃの右側は縦線ｄと窓Ｃの幅のサイディングボードＳ６が表示され、１階の窓Ｃの上は１階の窓Ｃが切り欠かれたサイディングボードＳ７が表示され、さらに、縦線ｅの１階の左側と家屋の壁面の画像Ａの左端Ａ３の幅にサイディングボードＳ８とＳ９が記載され、１階の上端Ａ４はバルコニーＧが形成されているので、サイディングボードＳ８の上に幅の狭いサイディングボードＳ９が表示され、又、サイディングボードＳ１の上に上端Ａ４のバルコニーＧを除いたサイディングボードＳ１０が表示され、さらに、サイディングボードＳ１０の上に縦線ｅと家屋の壁面の画像Ａの左端Ａ５の幅のサイディングボードＳ１１が表示され、２階の窓Ｄの下に１枚のサイディングボードＳから窓Ｄの下側を切り欠いたサイディングボードＳ１２が表示され、又、窓Ｄと家屋の壁面の画像Ａの右端Ａ１の幅のサイディングボードＳ１３が表示され、小窓Ｆと家屋の壁面の画像Ａの右端Ａ１の幅のサイディングボードＳ１４が表示され、小窓ＥとＦの間にサイディングボードＳ１５が表示され、小窓Ｅ、Ｆの上に小窓Ｅ、Ｆの上側部分を切り欠いたサイディングボードＳ１６が表示され、バルコニーＨの下にサイディングボードＳ１の幅のサイディングボードＳ１７が表示され、バルコニーＨのすぐ下に幅の狭いサイディングボードＳ１８が表示され、バルコニーＧの下にサイディングボードＳ１９が表示されている。
【００１３】
本発明は、このようにカメラ１で撮像した家屋の壁面の画像Ａの信号をパーソナルコンピュータ２に入力し、入力装置４でサイディングボードの長さａ及び幅ｂのデータ及び例えば家屋の壁面の右端から１階の出入り口Ｂの左端Ａ１までの距離を予め実測したデータｃを入力装置４でパーソナルコンピュータ２に入力すると、パーソナルコンピュータ２に内蔵するサイディングボード形状作成部２ｂは家屋の壁面の表示画像ＡにサイディングボードＳの形状Ｓ１と出入り口Ｂや窓Ｃ、Ｄ、小窓Ｅ、Ｆ及びバルコニーＧ、Ｈの部分を考慮して、１枚のサイディングボードＳ１とそれぞれ小分けしたサイディングボードＳ２〜Ｓ１８が表示装置３の家屋の壁面の表示画像Ａに表示されるので、この画像をプリントアウトすることにより、サイディングボードＳ１とそれぞれに切り分けるサイディングボードＳ２〜Ｓ１８を作成することができる。
【００１４】
図５は、他の家屋の１つの壁面の撮影図で、家屋の壁面の表示画像Ａに１階の窓Ｃ、Ｄ、２階の窓Ｅが表示され、壁面の表示画面Ａの右端Ａ１、下端Ａ２、左端Ａ３が表示され、壁面の表示画面Ａの左端Ａ３からサイディングボードＳの長さａの位置に縦線ｄを表示し、又、縦線ｄからサイディングボードＳの長さａの位置に縦線ｅを表示し、図６に示すように、家屋の壁面の表示画面Ａの下端Ａ２からサイディングボードＳの幅ｂの位置に横線ｆ１、ｆ２，・・・、ｆ１３が表示されることにより、サイディングボードＳを１枚使用するサイディングボードＳ１が家屋の壁面の画像Ａに表示され、窓Ｃの上下に、サイディングボードＳ１から窓Ｃを切り欠いたサイディングボードＳ２，Ｓ３が表示され、さらに、窓ｄの左側にサイディングボードＳ４，Ｓ５が表示され、窓ｄの右側にサイディングボードＳ６，Ｓ７が表示され、家屋の壁面の表示画面Ａの右端Ａ１と縦線ｅの間にＳ８，Ｓ９，Ｓ１０，Ｓ１１、Ｓ１２、Ｓ１３が表示され、サイディングボードＳ１３の上にサイディングボードＳ１４が表示され、サイディングボードＳ１４の左側にバルコニーＧによって欠けたサイディングボードＳ１５が表示され、サイディングボードＳ１５の上の縦線ｄと家屋の壁面の表示画面Ａの二階の右端Ａ４の間にサイディングボードＳ１６、Ｓ１７，Ｓ１８，Ｓ１９，Ｓ２０が表示され、サイディングボードＳ２０の上に屋根の右傾斜によって欠かれた三角のサイディングボードＳ２１が表示され、このサイディングボードＳ２１の左側に屋根の左傾斜によって欠かれたサイディングボードＳ２２が表示され、このサイディングボードＳ２２の上に屋根の頂部に合わせた三角のサイディングボードＳ２３が表示され、窓Ｅの下側と左側にサイディングボードＳ２４が表示され、窓ｅの左側にサイディングボードＳ２５，Ｓ２６が表示されている。
【００１５】
本発明は、このように、図４とは異なった家屋の壁面の表示画面Ａに、家屋の表示画面Ａの右端Ａ３からサイディングボードＳ１の長さａの位置に縦線ｄを表示し、さらに、縦線ｄからサイディングボードＳ１の長さａの位置に縦線ｅを表示し、家屋の表示画面Ａの下端Ａ２からサイディングボードＳ１の幅ｂの位置に順次ｆ１，ｆ２，・・・、ｆ１３が順次表示されると、サイディングボードＳ１及びそれを切り分けたサイディングボードＳ２〜Ｓ２６が表示される。
【００１６】
図７は、他の家屋の１つの壁面の撮影図で、家屋の壁面の表示画像Ａに１階に入り口Ｂが表示され、２階に窓Ｃ、Ｄが表示され、１階の右側に車庫が形成され、家屋の壁面の表示画面Ａの車庫側の右端Ａ１、下端Ａ２、左端Ａ３が表示され、壁面の表示画面Ａの下端Ａ２から縦にサイディングボードＳ１の長さａの位置に横線ｄを表示し、横線ｄからサイディングボードＳの長さａの位置に横線ｅを表示し、図８に示すように、家屋の壁面の表示画面Ａの屋根Ａ５のほぼ中心に位置に縦線ｆ１を表示し、その両側にサイディングボードＳの幅ｂの位置に縦線ｆ２を表示し、縦線ｆ２の外側に縦線ｆ３を表示し、さらに，縦線ｆ２右側に縦線ｆ４、ｆ５、ｆ６が表示されることにより、窓Ｃと窓Ｄの部分が欠けたサイディングボードＳ２が表示され、窓Ｃの左側にサイディングボードＳ１の窓Ｃの部分が欠けたサイディングボードＳ３が表示され、窓Ｄの左側にサイディングボードＳ１の窓Ｄの部分が欠けたサイディングボードＳ４が表示され、窓Ｃの上下にサイディングボードＳ５、Ｓ６が表示され、窓Ｄの上下にサイディングボードＳ７、Ｓ８が表示され、家屋の壁面の表示画面Ａの左端Ａ３とサイディングボードＳ３の間にサイディングボードＳ１１が表示され、サイディングボードＳ１１の下にサイディングボードＳ１２が表示され、サイディングボードＳ１２と入り口Ｂの間にサイディングボードＳ１３が表示され、家屋の壁面の表示画面Ａの左端Ａ１とサイディングボードＳ４の間にサイディングボードＳ１４が表示され、横線ｅと屋根の間に左から順にサイディングボードＳ１５，Ｓ１６、Ｓ１７、Ｓ１８，Ｓ１９，Ｓ２０，Ｓ２１が表示される。
【００１７】
本発明は、このようにカメラ１で撮像した家屋の壁面の画像Ａの信号をパーソナルコンピュータ２に入力し、入力装置４でサイディングボードＳ１の長さａ及び幅ｂのデータ及び家屋の壁面の右端Ａ３から２階の左端Ａ４までの間を予め実測したデータｃを入力装置４でパーソナルコンピュータ２に入力すると、パーソナルコンピュータ２に内蔵するサイディングボード形状作成部２ｂは家屋の壁面の表示画像Ａに出入り口Ｂや窓Ｃ、Ｄの部分及び車庫のを考慮して、１枚のサイディングボードＳ１を小分けしたサイディングボードＳ２〜Ｓ２１が表示装置３の家屋の壁面の表示画像Ａに表示されるので、この画像をプリントアウトすることにより、サイディングボードＳ１とそれぞれに切り分けるサイディングボードＳ２〜Ｓ２１を作成することができる。
【産業上の利用可能性】
【００１８】
なお、上記実施例では、大きい家屋の側壁について。サイディングボードＳの貼り付け形状を作成するようにしたが、小さな家屋や種々の形状の家屋についても同様に作成することができる。
【符号の説明】
【００１９】
１            カメラ
２            パーソナルコンピュータ
３            表示装置
４            入力装置
５            書き込み装置
【図１】
2011184973.tif 000003
【図２】
2011184973.tif 000004
【図３】
2011184973.tif 000005
【図４】
2011184973.tif 000006
【図５】
2011184973.tif 000007
【図６】
2011184973.tif 000008
【図７】
2011184973.tif 000009
【図８】
2011184973.tif 000010
【図９】
2011184973.tif 000011
【図１０】
2011184973.tif 000012